(57)【要約】【課題】燃料ポンプモジュールの蓋部材に凹部を設けるとともに、前記凹部に水が滞留することを、簡単な構成で、確実に阻止することを可能にする。【解決手段】燃料タンクシステム１０は、液体燃料Ｆが貯留される燃料タンク１２と、前記燃料タンク１２内に配置され、前記液体燃料Ｆを該燃料タンク１２の外部に送出するための燃料ポンプモジュール１４とを備える。燃料ポンプモジュール１４は、燃料タンク１２の外部から開口部１６を閉塞する蓋部材２６を備え、前記蓋部材２６の上部には、凹状部３４が設けられるとともに、前記凹状部３４は、底面部３８を有する。底面部３８の全面は、水平方向に延在する水平面、下方に傾斜する傾斜面又は前記水平面及び前記傾斜面の組み合わせ面により構成される。【選択図】図１
2010208574.tif 000002
【特許請求の範囲】
【請求項１】
液体燃料を貯留するとともに、傾斜部に開口部が設けられる燃料タンクと、
前記開口部に挿入され、前記燃料タンクの外部に前記液体燃料を送出する燃料ポンプを有する燃料ポンプモジュールと、
を備える燃料タンクシステムであって、
前記燃料ポンプモジュールは、前記燃料タンクの外部から前記開口部を閉塞する蓋部材を備え、
前記蓋部材の上部には、凹状部が設けられるとともに、
前記凹状部は、壁面部及び前記壁面部により一部が囲繞される底面部を有し、
前記底面部の全面は、水平方向に延在する水平面、前記壁面部から離間する方向に向かって下方に傾斜する傾斜面、又は前記水平面及び前記傾斜面の組み合わせ面により構成されることを特徴とする燃料タンクシステム。
【請求項２】
請求項１記載の燃料タンクシステムにおいて、前記蓋部材を前記燃料タンクに固定するナット部材を備え、
前記ナット部材の上端位置は、前記傾斜部に沿って傾斜するとともに、
前記凹状部の底面部は、前記ナット部材の傾斜する前記上端位置における最下位置よりも上方に配置されることを特徴とする燃料タンクシステム。
【発明の詳細な説明】
【技術分野】
【０００１】
本発明は、液体燃料を貯留するとともに、傾斜部に開口部が設けられる燃料タンクと、前記開口部に挿入され、前記燃料タンクの外部に前記液体燃料を送出する燃料ポンプを有する燃料ポンプモジュールとを備える燃料タンクシステムに関する。
【背景技術】
【０００２】
内燃機関に燃料を供給するために、燃料タンクが用いられている。この燃料タンク内には、前記燃料タンクに貯留されている液体燃料を、内燃機関に送出するための燃料ポンプを有する燃料ポンプモジュールが配設されている。
【０００３】
この種の燃料タンクでは、自動車等の車両に組み込まれる際、設置スペース等の関係から種々の形状に設定されている。その際、燃料タンクの上部側に傾斜部を有する構造が採用されており、例えば、特許文献１に開示されている装置が知られている。
【０００４】
この装置は、図６に示すように、燃料を貯蔵する貯蔵容器１に配置されており、燃料を前記貯蔵容器１から内燃機関２に圧送している。この装置は、貯蔵容器１内に配置される蓄えポット３を有しており、前記蓄えポット３には、圧送ユニット４が配置されている。
【０００５】
圧送ユニット４は、燃料を蓄えポット３から吸い上げ、圧力管路５を介して高圧にし、内燃機関２に圧送している。貯蔵容器１の上面１ａは、水平方向から傾斜しており、この上面１ａに設けられたタンク開口６には、タンクフランジ７が装着されている。
【先行技術文献】
【特許文献】
【０００６】
【特許文献１】特開２００８−１７４２３０号公報
【発明の概要】
【発明が解決しようとする課題】
【０００７】
ところで、上記の装置では、タンクフランジ７の上部には、高さ方向を有効に短尺化するために凹部８が設けられており、この凹部８は、周回する壁面８ａと底面８ｂとにより構成されている。その際、底面８ｂの下方に向かう傾斜方向先端側には、壁面８ａが配置されているため、凹部８には、例えば、外部からの水が滞留し易い。
【０００８】
しかしながら、タンクフランジ７は、樹脂系材料で形成されているため、このタンクフランジ７の凹部８に酸性の水が滞留すると、前記タンクフランジ７が腐食し易いという問題がある。
【０００９】
本発明はこの種の問題を解決するものであり、燃料ポンプモジュールの蓋部材に凹部を設けるとともに、前記凹部に水が滞留することを、簡単な構成で、確実に阻止することが可能な燃料タンクシステムを提供することを目的とする。
【課題を解決するための手段】
【００１０】
本発明は、液体燃料を貯留するとともに、傾斜部に開口部が設けられる燃料タンクと、前記開口部に挿入され、前記燃料タンクの外部に前記液体燃料を送出する燃料ポンプを有する燃料ポンプモジュールとを備える燃料タンクシステムに関するものである。
【００１１】
燃料ポンプモジュールは、燃料タンクの外部から開口部を閉塞する蓋部材を備え、前記蓋部材の上部には、凹状部が設けられるとともに、前記凹状部は、壁面部及び前記壁面部により一部が囲繞される底面部を有している。
【００１２】
そして、底面部の全面は、水平方向に延在する水平面、壁面部から離間する方向に向かって下方に傾斜する傾斜面、又は前記水平面及び前記傾斜面の組み合わせ面により構成されている。
【００１３】
また、この燃料タンクシステムは、蓋部材を燃料タンクに固定するナット部材を備え、前記ナット部材の上端位置は、傾斜部に沿って傾斜するとともに、凹状部の底面部は、前記ナット部材の傾斜する前記上端位置における最下位置よりも上方に配置されることが好ましい。
【発明の効果】
【００１４】
本発明では、蓋部材の上部には、凹状部が設けられるため、前記蓋部材の上部空間を効果的に利用することができる。従って、例えば、蓋部材に取り付けられる燃料配管用のジョイント部材は、前記蓋部材の上方に大きく突出することがなく、高さ方向のスペースが良好に削減可能になる。
【００１５】
さらに、凹状部を構成する底面部の全面は、水平方向に延在する水平面、壁面部から離間する方向に向かって下方に傾斜する傾斜面又は前記水平面及び前記傾斜面の組み合わせ面により構成されている。このため、凹状部に水が滞留することを、簡単な構成で、容易且つ確実に阻止することができ、例えば、蓋部材が腐食することを可及的に阻止することが可能になる。
【図面の簡単な説明】
【００１６】
【図１】本発明の実施形態に係る燃料タンクシステムの概略構成図である。
【図２】前記燃料タンクシステムを構成する燃料ポンプモジュールの説明図である。
【図３】前記燃料ポンプモジュールを構成する蓋部材の底面部が水平面を構成する際の説明図である。
【図４】前記蓋部材の底面部が傾斜面を構成する際の説明図である。
【図５】前記蓋部材の底面部が組み合わせ面を構成する際の説明図である。
【図６】特許文献１に開示されている装置の説明図である。
【発明を実施するための形態】
【００１７】
図１に示すように、本発明の実施形態に係る燃料タンクシステム１０は、液体燃料Ｆが貯留される燃料タンク１２と、前記燃料タンク１２内に配置され、前記液体燃料Ｆを該燃料タンク１２の外部（図示しない内燃機関）に送出するための燃料ポンプモジュール１４とを備える。
【００１８】
燃料タンク１２の上部には、水平方向一方（矢印Ａ１方向）に向かって鉛直下方向（矢印Ｂ１方向）に傾斜する傾斜部１２ａが設けられる。この傾斜部１２ａには、開口部１６が形成されるとともに、前記開口部１６を周回してナット取り付け用のねじ部１８が設けられる。
【００１９】
燃料ポンプモジュール１４は、図１及び図２に示すように、燃料ポンプ２０を備え、前記燃料ポンプ２０は、図示しないが、前記燃料タンク１２の底部１２ｂに開口する燃料吸引口を有する汲み上げ用ジェットポンプを設ける。
【００２０】
燃料ポンプ２０の出口側には、燃料供給管２４の一端が接続されるとともに、前記燃料供給管２４の他端は、蓋部材２６に取り付けられるジョイント部材２８に接続される。ジョイント部材２８には、燃料配管３０の一端が接続され、前記燃料配管３０の他端は、図示しない内燃機関の吸引口に接続される。
【００２１】
蓋部材２６は、樹脂系材料で形成されており、ロックナット（ナット部材）３２がねじ部１８にねじ込まれることにより、開口部１６を閉塞して燃料タンク１２に取り付けられる。この蓋部材２６は、上部に凹状部３４を設ける。
【００２２】
凹状部３４は、蓋部材２６の傾斜方向上方側に設けられる後方壁面部３６ａ、前記後方壁面部３６ａの両側に設けられる側方壁面部３６ｂ、３６ｃ及び底面部３８により構成される。蓋部材２６の傾斜方向前方側には、壁面部が設けられておらず、底面部３８が外部に開放されている。
【００２３】
底面部３８の全面は、種々のパターンに設定可能であり、例えば、図３に示すように、水平方向（水平線Ｈ）に延在する水平面３８ａを構成する。
【００２４】
また、底面部３８の全面は、図４に示すように、後方壁面部３６ａ（及び必要に応じて側方壁面３６ｂ、３６ｃ）から離間する方向に向かって、下方に所定角度α１°だけ傾斜する傾斜面３８ｂを構成してもよい。さらにまた、底面部３８の全面は、図５に示すように、水平面と傾斜面との組み合わせ面３８ｃにより構成さしてもよい。
【００２５】
ロックナット３２の上端位置Ｔは、傾斜部１２ａに沿って傾斜するとともに、凹状部３４の底面部３８は、前記ロックナット３２の傾斜する前記上端位置Ｔにおける最下位置Ｔｌｏｗよりも上方に配置される。この底面部３８にジョイント部材２８が取り付けられる。
【００２６】
このように構成される燃料タンクシステム１０の動作について、以下に説明する。
【００２７】
先ず、図示しない内燃機関が始動されると、燃料タンク１２内に配設されている燃料ポンプモジュール１４を構成する燃料ポンプ２０が駆動される。このため、燃料タンク１２に貯留されている液体燃料Ｆは、図示しない汲み上げ用ジェットポンプの作用下に吸引される。液体燃料Ｆは、燃料供給管２４から燃料配管３０を介して内燃機関（図示せず）に供給される。
【００２８】
この場合、本実施形態によれば、燃料タンク１２の上部に設けられている傾斜部１２ａに、ロックナット３２を介して蓋部材２６が取り付けられている。この蓋部材２６の上部には、凹状部３４が設けられるとともに、前記凹状部３４を構成する底面部３８にジョイント部材２８が取り付けられている。
【００２９】
従って、蓋部材２６の上部空間を効果的に利用することができ、ジョイント部材２８が前記蓋部材２６の上方に大きく突出することがない。これにより、蓋部材２６の高さ方向のスペースが良好に削減可能になる。
【００３０】
さらに、凹状部３４を構成する底面部３８の全面は、水平方向に延在する水平面３８ａ（図３参照）、後方壁面部３６ａから離間する方向に向かって下方に傾斜する傾斜面３８ｂ（図４参照）、又は水平面及び傾斜面の組み合わせ面３８ｃにより構成されている。
【００３１】
このため、凹状部３４に水が滞留することを、簡単な構成で、容易且つ確実に阻止することができる。これにより、例えば、樹脂製の蓋部材２６が、酸性の水等によって腐食することを可及的に阻止することが可能になるという効果が得られる。
【符号の説明】
【００３２】
１０…燃料タンクシステム            １２…燃料タンク
１２ａ…傾斜部                      １４…燃料ポンプモジュール
１６…開口部                        １８…ねじ部
２０…燃料ポンプ                    ２４…燃料供給管
２８…ジョイント部材                ３０…燃料配管
３２…ロックナット                  ３４…凹状部
３６ａ…後方壁面部                  ３６ｂ、３６ｃ…側方壁面部
３８…底面部                        ３８ａ…水平面
３８ｂ…傾斜面                      ３８ｃ…組み合わせ面
【図１】
2010208574.tif 000003
【図２】
2010208574.tif 000004
【図３】
2010208574.tif 000005
【図４】
2010208574.tif 000006
【図５】
2010208574.tif 000007
【図６】
2010208574.tif 000008